(57)【特許請求の範囲】
【請求項１】
上面部と底面部と第１及び第２の側面部と前面部と背面部とを有するカセットケースを含んで成るテープカセットであって、発光部と該発光部からの出射光を受光する受光部とを備えた装置における前記出射光の光路上に装着されるテープカセットにおいて、
前記カセットケースを透明度の高い材質で形成すると共に、
前記第１の側面部における前記背面部側、及び、前記背面部における前記第１の側面部側のそれぞれに、前記出射光を前記受光部に到達しない方向に屈折又は反射させる第１及び第２のプリズム部を設けて成ることを特徴とするテープカセット。
【請求項２】
前記第１のプリズム部の頂角と前記第２のプリズム部の頂角とを異なる角度に形成して成ることを特徴とする請求項１記載のテープカセット。
【請求項３】
装置側にカセット有無検出用の発光部とこの発光部からの検出光を受光するカセット有無検出用の受光部とが設けられ、前記発光部から前記受光部に達する検出光の光路がカセット位置を通るように設定され、前記発光部からの検出光が前記受光部に到達するか否かによってテープカセットの有無を検出する装置に使用されると共に、装置側にテープ端検出用の発光部とこの発光部からの検出光を受光するテープ端検出用の受光部とが設けられ、前記発光部からの検出光が前記受光部に到達するか否かによってテープ端の有無を検出する装置に使用され、且つ、テープ端検出用の光路上に光路を外れた不要光の通過を阻止する遮光部材を設けたテープカセットにおいて、
前記遮光部材を延設してこの延設部をカセット有無検出用の光路上に配置したことを特徴とするテープカセット。
【発明の詳細な説明】
【０００１】
【発明の属する技術分野】
本発明は、透明度の高い材質で形成されたテープカセットに関する。
【０００２】
【従来の技術】
テープカセットは記録再生装置以外にも種々の装置で取扱われる。例えばその一例としてデュプリケータ向け業務用のカセットチェンジャがあり、図１４及び図１５にカセットチェンジャの使用例が示されている。図１４及び図１５において、記録再生装置１は２つのカセットドライブ部等を有するダビング装置であり、この記録再生装置１の１つのカセット挿入口側には結合部２を介してカセットチェンジャ３が連結されている。
【０００３】
カセットチェンジャ３は、チェンジャ本体４にスライド自在に配置されたカセットトレイ５を有し、このカセットトレイ５はカセット基準位置と記録再生装置１のカセット受渡し位置との間で移動される。カセットトレイ５の上方にはテープカセット６をカセットセット位置に保持するための一対のカセットストッパ７，７が設けられ、この一対のカセットストッパ７，７が互いに離間する方向（図１４（Ｂ）の矢印方向）に移動することによってテープカセット６がローラ８にガイドされながらカセットトレイ５に落下するように構成されている。
【０００４】
又、チェンジャ本体４にはガイドレール９に沿ってスライド移動するカセット押圧アーム１０が設けられ、このカセット押圧アーム１０はテープカセット６の側面を押圧することによってテープカセット６をカセットトレイ５のカセット基準位置からストッカー１１上のカセット排出位置（カセット位置）に移動させることができる。ストッカー１１はカセットトレイ５の横側に設けられ、チェンジャ本体４にはストッカー１１上のカセット排出位置にテープカセット６があるか否かを検出するカセット有無検出手段１２が設けられている。
【０００５】
カセット有無検出手段１２は、発光部１２ａとこの発光部１２ａからの検出光を受光する受光部１２ｂとを有し、発光部１２ａから受光部１２ｂに達する検出光の光路Ｃはカセット位置であるカセット排出位置を通るように設定されている。
【０００６】
次に、上記構成の作用を説明する。図１４（Ａ），（Ｂ）の仮想線で示すように、テープカセット６をカセットセット位置にセットする。そして、スタートモードになると、一対のカセットストッパ７，７が互いに離間する位置に移動してテープカセット６がカセットトレイ５上のカセット基準位置に落下する。次に、カセットトレイ５が記録再生装置１のカセット受渡し位置に移動し、テープカセット６が記録再生装置１に装着され、ダビングが開始される。ダビングが終了すると、テープカセット６が記録再生装置１より排出され、カセットトレイ５上に戻される。次に、カセットトレイ５がカセット基準位置に移動され、カセット基準位置のテープカセット６がカセット押圧アーム１０に押圧されてカセット排出位置に排出される（図１５（Ａ），（Ｂ）の状態）。
【０００７】
次のテープカセット６がカセットセット位置に配置されている場合には、スタートモードが選択され、上記した同様の動作過程によってダビングが実行される。そして、使用者がダビング完了したテープカセット６をカセット排出位置より除去した場合には、発光部１２ａからの検出光がテープカセット６に遮蔽されずに受光部１２ｂに達することからカセット有無検出手段１２がカセット排出位置にテープカセット６が位置しないことを検出し、次に、ダビング完了するテープカセット６を上記した同様の動作過程によってカセット排出位置に排出する。又、使用者がダビング完了したテープカセット６をカセット排出位置より除去しない場合には、発光部１２ａからの検出光がテープカセット６に遮蔽されて受光部１２ｂに達しないことからカセット有無検出手段１２がカセット排出位置にテープカセット６が位置することを検出し、次に、ダビング完了するテープカセット６があってもカセット排出位置に排出しないようにする。
【０００８】
【発明が解決しようとする課題】
ところで、近年、テープカセット６のカセットケース自体を透明度の高い材質で形成したいという要請があり、このようにテープカセット６を形成した場合には、上記したカセット有無検出手段１２が検出エラーを起こす可能性がある。つまり、テープカセット６がカセット排出位置に位置する場合にあっても、発光部１２ａからの検出光がカセットケースを透過して受光部１２ｂに達してしまいカセット無しであると誤検出するためである。このように誤検出すると、テープカセット６がカセット排出位置にあるにもかかわらず次のテープカセット６がカセット排出位置に送られてくるため、先のテープカセット６がストッカー１１上から落下して破損したり、ストッカー１１に落下防止壁がある場合にはカセット押圧アーム１０に高負荷がかかってカセットチェンジャ３等が破損したりする。
【０００９】
そこで、本発明は、前記した課題を解決すべくなされたものであり、カセットケースが透明性の高い材質で形成されているものであってもカセット検出エラーを防止できるテープカセットを提供することを目的とする。
【００１０】
【課題を解決するための手段】
請求項１の発明は、上面部と底面部と第１及び第２の側面部と前面部と背面部とを有するカセットケースを含んで成るテープカセットであって、発光部と該発光部からの出射光を受光する受光部とを備えた装置における前記出射光の光路上に装着されるテープカセットにおいて、前記カセットケースを透明度の高い材質で形成すると共に、前記第１の側面部における前記背面部側、及び、前記背面部における前記第１の側面部側のそれぞれに、前記出射光を前記受光部に到達しない方向に屈折又は反射させる第１及び第２のプリズム部を設けて成ることを特徴とする。
【００１１】
請求項２の発明は、前記第１のプリズム部の頂角と前記第２のプリズム部の頂角とを異なる角度に形成して成ることを特徴とする。
【００１３】
請求項３の発明は、装置側にカセット有無検出用の発光部とこの発光部からの検出光を受光するカセット有無検出用の受光部とが設けられ、前記発光部から前記受光部に達する検出光の光路がカセット位置を通るように設定され、前記発光部からの検出光が前記受光部に到達するか否かによってテープカセットの有無を検出する装置に使用されると共に、装置側にテープ端検出用の発光部とこの発光部からの検出光を受光するテープ端検出用の受光部とが設けられ、前記発光部からの検出光が前記受光部に到達するか否かによってテープ端の有無を検出する装置に使用され、且つ、テープ端検出用の光路上に光路を外れた不要光の通過を阻止する遮光部材を設けたテープカセットにおいて、前記遮光部材を延設してこの延設部をカセット有無検出用の光路上に配置したことを特徴とする。
【００１５】
【発明の実施の形態】
以下、本発明の実施形態を図面に基づいて説明する。
【００１６】
図１〜図４は本発明の第１実施形態を示し、図１（Ａ）はテープカセットのカセットケースの上面部のみを取り払った平面図、図１（Ｂ）はテープカセットの背面図、図１（Ｃ）はテープカセットの側面図、図２は図１（Ａ）のＭ部分の一部拡大図、図３は側面部のプリズム部に入射した検出光の光路を示す図、図４は背面部のプリズム部に入射した検出光の光路を示す図である。
【００１７】
図１において、先ず、第１実施形態のテープカセットＴＣが使用される装置（記録再生装置、カセットチェンジャ等）側のカセット有無検出手段１２について説明する。カセット有無検出手段１２は、装置側に設けられた発光部１２ａとこの発光部１２ａからの検出光を受光する受光部１２ｂとを有し、発光部１２ａから受光部１２ｂに達する検出光の光路Ｃ１（図面では光路Ｃ１の中心を図示）がテープカセットＴＣの側面側から前面側に抜けることでカセット位置を通るように設定されている。発光部１２ａからは、実際には発光角が約３０度（片側１５度）の広がりを持って発射される。
【００１８】
一方、テープカセットＴＣのカセットケース２０は、上面部２０ａと底面部２０ｂと左右一対の側面部２０ｃ，２０ｃと前面部２０ｄと背面部２０ｅとから略偏平直方体状を有し、透明性の高い材質（例えばポリスチレン）で形成されている。カセットケース２０の内部には一対のテープ収納室２１，２１を形成する仕切内壁２２が設けられており、この一対のテープ収納室２１，２１に一対の巻装されたテープ（図示せず）が回転自在に収納される。
【００１９】
そして、カセットケース２０の前記検出光の光路Ｃ１上に相当する箇所であって、発光部１２ａから発射された検出光が最初に入射する箇所に、具体的には側面部２０ｃ及びこの側面部２０ｃに近接する背面部２０ｅの一部にプリズム部２３，２４がそれぞれ設けられている（図１（Ａ）には、位置の明確化のためプリズム部２３，２４が設けられているエリアをハッチングで示す）。
【００２０】
側面部２０ｃ及び背面部２０ｅの各プリズム部２３，２４は、図２に示すように、並列に連続的に形成され、カセットケース２０の成形時に一体成形によって同時に形成される。この側面部２０ｃのプリズム部２３はその頂角が３０度のものとして、背面部２０ｅのプリズム部２４はその頂角が６０度のものとして形成されている。
【００２１】
上記構成において、テープカセットＴＣが装置のカセット位置に位置する場合には、発光部１２ａからの検出光が光路Ｃ１を中心として照射される。図３に示すように、この検出光はテープカセットＴＣの側面部２０ｃに入射角の中心がほぼ７０度（入射法線Ｌ１に対する角度）で入射され、プリズム部２３の屈折によって入射法線Ｌ１に対して２３度の射出角で射出される。従って、入射光の光路Ｃ１上から大きくずれた方向に射出される。尚、プリズム部２３の偏れ角（入射角と射出角との差）は４７度である。
【００２２】
又、図４に示すように、上記検出光はテープカセットＴＣの背面部２０ｅに入射角の中心がほぼ４０度（入射法線Ｌ２に対する角度）で入射され、プリズム部２４の射出面２４ａに対して５４．５度の投射角で投射されるため、プリズム部２４の臨界角がほぼ４０度であることから全反射される。従って、入射光の光路Ｃ１上から大きくずれた方向に射出される。以上より、テープカセットＴＣに照射された検出光はプリズム部２３，２４の屈折又は反射によって受光部１２ｂに達することがほとんどなく、透明性の高いカセットケース２０のテープカセットＴＣにおけるカセット検出エラーを防止できる。
【００２３】
尚、前記第１実施形態によれば、側面部２０ｃのプリズム部２３はその頂角が３０度に、背面部２０ｅのプリズム部２４はその頂角が６０度にそれぞれ形成されているが、入射光を受光部１２ｂに達しない射出方向に屈折又は反射させるようにプリズム部２３，２４をそれぞれ形成すれば良い。
【００２４】
図５〜図７は本発明の第２実施形態を示し、図５（Ａ）はテープカセットのカセットケースの上面部のみを取り払った平面図、図５（Ｂ）はテープカセットの背面図、図５（Ｃ）はテープカセットの側面図、図６は図５（Ｃ）のＮ部分の一部拡大図、図７は底面部のプリズム部に入射した検出光の光路を示す図である。
【００２５】
図５において、先ず、第２実施形態のテープカセットＴＣが使用される装置側のカセット有無検出手段１３について説明する。カセット有無検出手段１３は、装置側に設けられた発光部１３ａとこの発光部１３ａからの検出光を受光する受光部１３ｂとを有し、発光部１３ａから受光部１３ｂに達する検出光の光路Ｃ２（図面では光路Ｃ２の中心を図示）がテープカセットＴＣの底面側から上面側に抜けることでカセット位置を通るように設定されている。発光部１３ａからは、実際には発光角が約３０度（片側１５度）の広がりを持って発射される。
【００２６】
一方、テープカセットＴＣのカセットケース２０は、上面部２０ａと底面部２０ｂと左右一対の側面部２０ｃ，２０ｃと前面部２０ｄと背面部２０ｅとから略偏平直方体状を有し、透明性の高い材質（例えばポリスチレン）で形成されている。カセットケース２０の内部には一対のテープ収納室２１，２１を形成する仕切内壁２２が設けられており、この一対のテープ収納室２１，２１に一対の巻装されたテープ（図示せず）が回転自在に収納される。
【００２７】
そして、カセットケース２０の前記検出光の光路Ｃ２上に相当する箇所であって、発光部１３ａから発射された検出光が最初に入射する箇所に、具体的には底面部２０ｂの一部にプリズム部２５が設けられている（図５（Ａ）には、位置の明確化のためプリズム部２５が設けられているエリアをハッチングで示す）。
【００２８】
底面部２０ｂのプリズム部２５は、図６に示すように、並列に連続的に形成され、カセットケース２０の成形時に一体成形によって同時に形成されている。この底面部２０ｂのプリズム部２５はその頂角が３０度のものとして形成されている。
【００２９】
上記構成において、テープカセットＴＣが装置のカセット位置に位置する場合には、発光部１３ａからの検出光が光路Ｃ２を中心として照射される。図７に示すように、この検出光はテープカセットＴＣの底面部２０ｂに入射角の中心がほぼ２０度（入射法線Ｌ３に対する角度）で入射され、プリズム部２５の射出面２５ａに対して４９度の投射角で投射されるため、プリズム部２５の臨界角がほぼ４０度であることから全反射される。従って、入射光の光路Ｃ２上から大きくずれた方向に射出される。以上より、テープカセットＴＣに照射された検出光はプリズム部２５の反射によって受光部１３ｂに達することがほとんどなく、透明性の高いカセットケース２０のテープカセットＴＣにおけるカセット検出エラーを防止できる。
【００３０】
尚、前記第２実施形態によれば、底面部２０ｂのプリズム部２５はその頂角が３０度に形成されているが、入射光を受光部１３ｂに達しない射出方向に屈折又は反射させるようにプリズム部２５を形成すれば良い。
【００３１】
図８は本発明の第３実施形態を示し、図８（Ａ）はテープカセットのカセットケースの上面部のみを取り払った平面図、図８（Ｂ）はテープカセットの背面図、図８（Ｃ）はテープカセットの側面図である。
【００３２】
図８において、このテープカセットＴＣは前記第１及び第２実施形態のいずれの装置にも使用できるものとして構成されている。つまり、カセットケース２０の２つの検出光の光路Ｃ１，Ｃ２上に相当する箇所（第１実施形態のようにカセットケース２０の側面部２０ｃ及びこの側面部２０ｃに近接する背面部２０ｅの一部と第２実施形態のように底面部２０ｂの一部）にそれぞれプリズム部２３，２４，２５がそれぞれ設けられている（図８（Ａ）には、位置の明確化のためプリズム部２３，２４，２５が設けられているエリアをハッチングで示す）。各プリズム部２３，２４，２５の構成は、前記第１及び第２実施形態と同様であり、重複説明を回避するため説明を省略する。
【００３３】
この第３実施形態のテープカセットＴＣでは、前記第１及び第２実施形態のいずれの装置に使用された場合にあっても、テープカセットＴＣに照射された検出光が各プリズム部２３，２４，２５の屈折又は反射によって受光部１２ｂ，１３ｂに達することがほとんどなく、透明性の高いカセットケース２０のテープカセットＴＣにおけるカセット検出エラーを防止できる。
【００３４】
上記第１実施形態〜第３実施形態では、プリズム部２３，２４，２５がカセットケース２０と一体成形にて形成されているので、プリズム部２３，２４，２５がカセットケース２０と同時に成形されるため、プリズム部２３，２４，２５の製作が容易で、且つ、コスト安にできる。但し、プリズム部２３，２４，２５をカセットケース２０とは別個に製作し、これをカセットケース２０に取付けても良い。
【００３５】
上記第１実施形態及び第３実施形態では、プリズム部２３は、発光部１２ａから発射された検出光が最初に入射するカセットケース２０の箇所に設けられているので、プリズム部２３から受光部１２ｂまでの距離が大きく、プリズム部２３の偏れ角度を小さく設定しても受光部１２ｂへの検出光の到達を防止できるため、プリズム部２３の設計自由度が増す。尚、発光部１２ａから発射された検出光が最初ではなく次に入射するカセットケース２０の箇所、具体的には前面部２０ｄにプリズム部を設けても良い。
【００３６】
上記第１実施形態〜第３実施形態では、カセットケース２０の内面側にプリズム部２３，２４，２５を設けたので、摩耗や擦り傷等によってプリズム部２３，２４，２５の面が破損等するおそれがほとんどない。
【００３７】
ところで、本発明と同様な効果を得るのに、上記プリズム部２３，２４，２５の位置に光遮蔽部材を設けることが考えられるが、上記プリズム部２３，２４，２５をカセットケース２０と一体形成した場合には、光遮蔽部材を設ける場合に比べて取付け工数が不要であり、取付けミス、剥がれ等の問題が生じないという利点があり、又、デザイン的にも優れている。
【００３８】
尚、前記第１実施形態〜第３実施形態によれば、検出光の光路Ｃ１がテープカセットＴＣの側面側から前面側に抜けることでカセット位置を通る場合と、検出光の光路Ｃ２がテープカセットＴＣの底面側から上面側に抜けることでカセット位置を通る場合に対応できるテープカセットＴＣの例を示したが、これら以外の光路を通る場合にも同様に本発明を適用できることはもちろんである。
【００３９】
尚、前記第１実施形態〜第３実施形態によれば、カセットケース２０の光路Ｃ１，Ｃ２上に相当する箇所にのみプリズム部２３，２４，２５を設けたが、その左右対称側にも同様のプリズム部２３，２４，２５を設ければ、デザイン的に優れたものとなり、又、カセット有無検出手段１２，１３の設計自由度の増大に寄与する。
【００４０】
図９〜図１１は本発明の第４実施形態を示し、図９はテープカセットＴＣのカセットケース２０の上面側を取り払った一部平面図、図１０は遮光部材１７の装着前を示す要部の斜視図、図１１は遮光部材１７を装着した状態を示す要部の斜視図である。
【００４１】
図９において、第４実施形態のテープカセットＴＣが使用される装置側のカセット有無検出手段１２は、第１実施形態のものと同様であるため、図面に同一符号を付してその説明を省略する。又、装置側にはテープ端検出手段１４が設けられており、このテープ端検出手段１４は発光部１４ａとこの発光部１４ａからの検出光を受光するテープ端検出用の一対の受光部１４ｂ（一方は図示せず）とが設けられている。テープカセットＴＣの装置装着状態では、発光部１４ａは中央円筒状の壁部１５ａ内に配置され、一対の受光部１４ｂはテープカセットＴＣの左右側面の外方位置に位置される。
【００４２】
一方、テープカセットＴＣのカセットケース２０は、前記第１実施形態と同様の構成で透明性の高い材質で形成されており、テープ端検出手段１４の発光部１４ａと受光部１４ｂとを結ぶテープ端検出用の光路Ｃ３上に当る壁部１５ａと仕切内壁２２と壁部１５ｂと側面部２０ｃには光通過路１６ａ〜１６ｅがそれぞれ設けられている。壁部１５ｂの光通過路１６ｄの箇所には遮光部材１７が装着されている。この遮光部材１７の上記光路Ｃ３に当る箇所には光通過路１７ａが開口され、光路Ｃ３上を通る検出光を通すが、光路Ｃ３を外れた不要光の通過を阻止するように構成されている。つまり、これによってカセットケース２０が透明性の高い材質で形成されていてもテープ端検出の誤検出を確実に防止される。
【００４３】
又、遮光部材１７の一端側は、壁部１５ｂの光通過路１６ｄの箇所を塞ぐ以上に延設されて大きく構成されている。この延設部１７ｂは光通過路１７ａを有する箇所に対して折曲されており、カセット有無検出用の光路Ｃ１上に配置されている。
【００４４】
この第４実施形態では、テープ端検出の検出光の内で光路Ｃ３上を通過する光のみが遮光部材１７の光通過路１７ａを通過し、光路Ｃ３を外れた光が遮光部材１７で通過を阻止されるため、透明性の高いカセットケースで形成されている場合にあって、テープ端検出の誤検出を確実に防止できる。又、カセット有無検出用の光は遮光部材１７の延設部１７ｂで通過を阻止されるため、透明性の高いカセットケースで形成されている場合にあって、カセット有無検出エラーを確実に防止できる。そして、検出カセット有無検出エラーを防止するに際して、テープ端誤検出を防止する遮光部材１７を利用するため、部品点数を増加することなく、又、組付性の悪化をもたらすことなくカセット有無検出エラーを防止できるものである。
【００４５】
図１２は本発明の第５実施形態を示し、テープカセットのカセットケースの上面部のみを取り払った平面図、図１３（Ａ）はテープカセットのカセットケースの光路用の切欠の周辺の説明図、１３（Ｂ）はプリズム部がある場合のテープ端検出光の光路を示す図、１３（Ｃ）はプリズム部がない場合のテープ端検出光の光路を示す図である。
【００４６】
この第５実施形態は、磁気テープの両端に透明性の高いリーダテープを有し、テープ端検出手段１４の発光部１４ａのテープ端検出光（テープ終端検出光）Ｃ３を利用してテープ終端を検出する方式において、テープ端検出光Ｃ３が透明性の高いカセットケース２０の光路用の切欠以外を通過して左右の受光部１４ｂ，１４ｂに達するというテープカセットＴＣにおけるテープ端検出エラー（テープ終端検出エラー）を防止するものである。即ち、テープ端検出用の発光部１４ａの挿入孔を構成する右半分円筒状の壁２２ａの両側の光路用の切欠２２ｂ，２２ｃの周辺の左右の仕切内壁２２，２２には光路用の切欠２２ｄ，２２ｅをそれぞれ形成してあり、この各切欠２２ｄ，２２ｅの周りの各仕切壁２２には、発光部１４ａからのテープ端検出光Ｃ３を左右の受光部１４ｂ，１４ｂに達しない射出方向に屈折又は反射させるプリズム部２６，２７がそれぞれ設けられている。
【００４７】
さらに、カセットケース２０の左右の側面部２０ｃ，２０ｃの前側の光路用の切欠２２ｆ，２２ｇの周りの壁には、発光部１４ａからのテープ端検出光Ｃ３を左右の受光部１４ｂ，１４ｂに達しない射出方向に屈折又は反射させるプリズム部２８，２９がそれぞれ設けられている。他の構成は、前記第１実施形態と同様であるので、同一構成部分には同一符号を付して詳細は説明は省略する。
【００４８】
この第５実施形態のテープカセットＴＣでは、テープ端検出光Ｃ３が各プリズム部２６〜２９の屈折又は反射によって左右の受光部１４ｂ，１４ｂに達することがほとんどなく、透明性の高いカセットケース２０のテープカセットＴＣにおけるテープ端検出エラーを防止できる。
【００４９】
図１３（Ａ），（Ｂ）に示すように、テープ端検出光Ｃ３を通過させるための切欠２２ｄの周辺にプリズム部２６を設けると、図１３（Ｂ）に示すように、発光部１４ａからの光は直進せず、受光部１４ｂに達しない方向に屈折又は反射する。理論的にはプリズム部を形成する面は一カ所でもよいが、プリズム部への入射光角度が小さいと、カセットケース２０と一体成形の場合、プリズム部の頂点や隅部に設けた曲線部（Ｒ部）や表面性により光の直進成分が残って受光部に達して誤動作を生じてしまうので、図１２に示すように、仕切内壁２２の複数箇所にプリズム部２６〜２９を形成した方が、確実性を増す。
【００５０】
【発明の効果】
以上説明したように、本発明によれば、装置側に発光部とこの発光部からの検出光を受光する受光部とが設けられ、前記発光部から前記受光部に達する検出光の光路がカセット位置を通るように設定され、前記発光部からの検出光が前記受光部に到達するか否かによってテープカセットの有無を検出する装置に使用されるテープカセットにおいて、透明度の高い材質でカセットケースを形成し、このカセットケースの前記検出光の光路上に相当する箇所に、入射光を前記受光部に達しない射出方向に屈折又は反射させるプリズム部を設けたので、テープカセットがカセット位置に位置する場合には発光部からの検出光がプリズム部で屈折又は全反射されて受光部には達しないため、透明性の高いカセットケースのテープカセットにおけるカセット検出エラーを防止できる。
【００５１】
また、本発明によれば、前記プリズム部は、前記カセットケースと一体成形にて形成したので、プリズム部がカセットケースと同時に成形されるため、プリズム部の製作が容易で、且つ、コスト安にできる。又、上記プリズム部の位置に光遮蔽部材を設ける場合に比べて取付け工数が不要であり、取付けミス、剥がれ等の問題が生じないという利点がある。
【００５２】
また、本発明によれば、前記プリズム部は、前記発光部から発射された検出光が最初に入射する前記カセットケースの箇所に設けたので、プリズム部から受光部までの距離が大きく、プリズムの偏れ角度を小さく設定しても受光部への検出光の到達を防止できるため、プリズムの設計自由度が増す。
【００５３】
また、本発明によれば、装置側にカセット有無検出用の発光部とこの発光部からの検出光を受光するカセット有無検出用の受光部とが設けられ、前記発光部から前記受光部に達する検出光の光路がカセット位置を通るように設定され、前記発光部からの検出光が前記受光部に到達するか否かによってテープカセットの有無を検出する装置に使用されると共に、装置側にテープ端検出用の発光部とこの発光部からの検出光を受光するテープ端検出用の受光部とが設けられ、前記発光部からの検出光が前記受光部に到達するか否かによってテープ端の有無を検出する装置に使用され、且つ、テープ端検出用の光路上に光路を外れた不要光の通過を阻止する遮光部材を設けたテープカセットにおいて、前記遮光部材を延設してこの延設部をカセット有無検出用の光路上に配置したので、透明性の高いカセットケースでテープ端検出の誤検出を確実に防止できるものにあって、部品点数を増加することなく、組付性の悪化をもたらすことなくカセット検出エラーを防止できる。
【００５４】
また、本発明によれば、発光部からのテープ端検出光が受光部に到達するか否かによってテープ終端を検出する装置に使用されるテープカセットにおいて、テープ端検出光を通過させるための光路用の切欠周辺の壁に、発光部からのテープ端検出光を受光部に達しない射出方向に屈折又は反射させるプリズム部を設けたので、発光部からのテープ端検出光がプリズム部で屈折又は全反射されて受光部には達しないため、透明性の高いカセットケースのテープカセットにおけるカセット検出エラーを防止できる。
【図面の簡単な説明】
【図１】本発明の第１実施形態を示し、（Ａ）はテープカセットのカセットケースの上面部のみを取り払った平面図、（Ｂ）はテープカセットの背面図、（Ｃ）はテープカセットの側面図である。
【図２】本発明の第１実施形態を示し、図１（Ａ）のＭ部分の一部拡大図である。
【図３】本発明の第１実施形態を示し、側面部のプリズム部に入射した検出光の光路を示す図である。
【図４】本発明の第１実施形態を示し、背面部のプリズム部に入射した検出光の光路を示す図である。
【図５】本発明の第２実施形態を示し、（Ａ）はテープカセットのカセットケースの上面部のみを取り払った平面図、（Ｂ）はテープカセットの背面図、（Ｃ）はテープカセットの側面図である。
【図６】本発明の第２実施形態を示し、図５（Ｃ）のＮ部分の一部拡大図である。
【図７】本発明の第２実施形態を示し、底面部のプリズム部に入射した検出光の光路を示す図である。
【図８】本発明の第３実施形態を示し、（Ａ）はテープカセットのカセットケースの上面部のみを取り払った平面図、（Ｂ）はテープカセットの背面図、（Ｃ）はテープカセットの側面図である。
【図９】本発明の第４実施形態を示し、テープカセットのカセットケースの上面側を取り払った一部平面図である。
【図１０】本発明の第４実施形態を示し、遮光部材の装着前を示す要部の斜視図である。
【図１１】本発明の第４実施形態を示し、遮光部材を装着した状態を示す要部の斜視図である。
【図１２】本発明の第５実施形態を示し、テープカセットのカセットケースの上面部のみを取り払った平面図である。
【図１３】本発明の第５実施形態を示し、（Ａ）はテープカセットのカセットケースの光路用の切欠部周辺の説明図、（Ｂ）はプリズム部がある場合のテープ端検出光の光路を示す図、（Ｃ）はプリズム部がない場合のテープ端検出光の光路を示す図である。
【図１４】（Ａ）は従来のカセットチェンジャの使用状態を示す平面図、（Ｂ）はその正面図である。
【図１５】（Ａ）は従来のカセットチェンジャの使用状態を示す平面図、（Ｂ）はその正面図である。
【符号の説明】
ＴＣ  テープカセット
１２ａ，１３ａ，１４ａ  発光部
１２ｂ，１３ｂ，１４ｂ  受光部
１７  遮光部材
１７ｂ  延設部
２０  カセットケース
２２  壁
２２ｄ，２２ｅ，２２ｆ，２２ｇ  切欠
２３，２４，２５，２６，２７，２８，２９  プリズム部
Ｃ１，Ｃ２  光路
Ｃ３  テープ端検出光
【図１】
0003562413.tif 000002
【図２】
0003562413.tif 000003
【図３】
0003562413.tif 000004
【図４】
0003562413.tif 000005
【図５】
0003562413.tif 000006
【図６】
0003562413.tif 000007
【図７】
0003562413.tif 000008
【図８】
0003562413.tif 000009
【図９】
0003562413.tif 000010
【図１０】
0003562413.tif 000011
【図１１】
0003562413.tif 000012
【図１２】
0003562413.tif 000013
【図１３】
0003562413.tif 000014
【図１４】
0003562413.tif 000015
【図１５】
0003562413.tif 000016